(57)【要約】【課題】より確実に端末装置の操作者間での意思疎通を行うことが可能な情報伝送システムを提供する。【解決手段】電話機能を夫々に備えた複数の親機Ｍ及び子機Ｃからなる親子電話システムＳであって、伝言メッセージの送信側は、受信側において表示される伝言メッセージを入力するために用いられる操作部１１、２１と、入力された伝言メッセージを受信側に送信する無線部１４、２４と、を備え、受信側は、送信された伝言メッセージを受信する無線部２４、１４と、受信した伝言メッセージを表示部２０、１０に表示させる主制御部２２、１２と、を備える。【選択図】図１
2009017027.tif 000002
【特許請求の範囲】
【請求項１】
電話機能を夫々に備えた複数の端末装置からなる情報伝送システムであって、
送信側となる一の前記端末装置である送信側端末装置は、
受信側となる他の前記端末装置である受信側端末装置において表示される表示情報を入力するために用いられる入力手段と、
前記入力された表示情報を前記受信側端末装置に送信する送信手段と、
を備え、
前記受信側端末装置は、
前記送信された表示情報を受信する受信手段と、
前記受信した表示情報を表示手段に表示させる表示制御手段と、
前記表示情報が表示される前記表示手段と、
を備えることを特徴とする情報伝送システム。
【請求項２】
請求項１に記載の情報伝送システムにおいて、
前記送信手段は、前記表示情報の送信に先立ち、前記受信側端末装置を特定するための特定情報を前記受信側端末装置に送信すると共に、当該特定情報に対応する受信側端末装置識別情報が前記受信側端末装置から送信されて来たとき、当該受信側端末装置識別情報を送信して来た前記受信側端末装置に対して前記表示情報を送信し、
前記受信手段は、前記送信側端末装置から前記特定情報が送信されて来たとき、当該特定情報に対応する前記受信側端末装置識別情報を前記送信側端末装置に送信することを特徴とする情報伝送システム。
【請求項３】
請求項１に記載の情報伝送システムにおいて、
前記送信手段は、前記受信側端末装置における受信状態に拘わらず、一方的に前記表示情報を前記受信側端末装置に送信することを特徴とする情報伝送システム。
【請求項４】
請求項１から３のいずれか一項に記載の情報伝送システムにおいて、
前記表示情報は複数の前記受信側端末装置に対して伝送されるものであり、
前記送信手段は、宛先となる複数の前記受信側端末装置に対して前記表示情報を夫々送信することを特徴とする情報伝送システム。
【請求項５】
請求項１から４のいずれか一項に記載の情報伝送システムにおいて、
前記送信手段は、前記表示情報を予め設定された間隔で周期的に前記受信側端末装置に送信することを特徴とする情報伝送システム。
【請求項６】
請求項１から５のいずれか一項に記載の情報伝送システムにおいて、
前記表示情報を中継する中継手段を備えた中継装置を更に備え、
当該表示情報は、前記中継手段により中継された後、前記受信側端末装置に伝送されることを特徴とする情報伝送システム。
【請求項７】
請求項６に記載の情報伝送システムにおいて、
前記中継装置は、
当該中継装置が中継する前記表示情報を記憶する中継装置記憶手段と、
前記表示情報が前記受信側端末装置まで伝送されなかったとき、当該記憶している表示情報を当該受信側端末装置まで再送する再送手段と、
を更に備えることを特徴とする情報伝送システム。
【請求項８】
請求項６又は７に記載の情報伝送システムにおいて、
前記再送手段は、前記表示情報を予め設定された間隔で周期的に前記受信側端末装置に再送することを特徴とする情報伝送システム。
【請求項９】
請求項１から８のいずれか一項に記載の情報伝送システムにおいて、
前記受信側端末装置は、前記送信された表示情報を記憶する端末装置記憶手段を更に備えることを特徴とする情報伝送システム。
【請求項１０】
請求項９に記載の情報伝送システムにおいて、
前記受信側端末装置に記憶されている前記表示情報を前記端末装置記憶手段から削除するとき、前記送信手段は、当該削除する旨の削除情報を前記受信側端末装置に送信すると共に、
前記受信側端末装置は、前記削除情報が送信されて来たとき、前記記憶されている表示情報を前記端末装置記憶手段から削除する削除手段を更に備えることを特徴とする情報伝送システム。
【請求項１１】
請求項１から１０のいずれか一項に記載の情報伝送システムにおいて、
前記表示情報は、前記送信側端末装置の操作者から前記受信側端末装置の操作者に面得られるべき伝言を内容とする表示情報であることを特徴とする情報伝送システム。
【請求項１２】
請求項１から１１のいずれか一項に記載の情報伝送システムにおいて、
前記表示情報は文字を含む表示情報であることを特徴とする情報伝送システム。
【請求項１３】
請求項１から１２のいずれか一項に記載の情報伝送システムに含まれる前記送信側端末装置たる前記端末装置であって、
前記入力手段と、
前記送信手段と、
を備えることを特徴とする端末装置。
【請求項１４】
請求項１から１２のいずれか一項に記載の情報伝送システムに含まれる前記受信側端末装置たる前記端末装置であって、
前記受信手段と、
前記表示制御手段と、
前記表示手段と、
を備えることを特徴とする端末装置。
【請求項１５】
請求項１から１２のいずれか一項に記載の情報伝送システムに含まれる前記送信側端末装置たる前記端末装置であって前記入力手段を備える前記端末装置に含まれるコンピュータを、前記送信手段として機能させることを特徴とする端末装置用プログラム。
【請求項１６】
請求項１から１２のいずれか一項に記載の情報伝送システムに含まれる前記受信側端末装置たる前記端末装置であって前記表示手段を備える端末装置に含まれるコンピュータを、
前記受信手段、及び、
前記表示制御手段、
として機能させることを特徴とする端末装置用プログラム。
【請求項１７】
電話機能を夫々に備えた複数の端末装置からなる情報伝送システムにおいて実行される情報処理方法において、
送信側となる一の前記端末装置である送信側端末装置において、受信側となる他の前記端末装置である受信側端末装置において表示される表示情報を入力する入力工程と、
前記送信側端末装置において、前記入力された表示情報を前記受信側端末装置に送信する送信工程と、
前記受信側端末装置において、前記送信された表示情報を受信する受信工程と、
前記受信した表示情報を表示手段に表示させる表示制御工程と、
を含むことを特徴とする情報処理方法。
【発明の詳細な説明】
【技術分野】
【０００１】
本願は、情報伝送システム及び端末装置、情報伝送方法及び端末装置用プログラムの技術分野に属し、より詳細には、電話機能を夫々に備える端末装置間において情報の伝送を行う情報伝送システム及び当該端末装置並びに当該情報伝送システムにおいて実行される情報伝送方法及び当該端末装置用プログラムの技術分野に属する。
【背景技術】
【０００２】
近年、外部の電話回線に接続された親機と、当該親機との間で無線により接続された一又は複数の子機と、を備える親子電話システムが知られている。
【０００３】
この種の親子電話システムとしては、例えば下記特許文献１に記載されたものがある。
【０００４】
ここで、当該特許文献1に記載された電話システムを初めとした従来の親子電話システムにおいて、例えば親機を操作する操作者（例えば母親）から、その操作者が外出するに際して子機を操作する操作者（例えば外出中の子供）に伝言を残す場合、その伝言は、音声を用いて例えば親機から子機に伝送され、当該子機において記憶された後に、当該子機の操作者による操作に応じて当該子機から放音される構成とされていた。
【特許文献１】特許第２６３８３２６号公報
【発明の開示】
【発明が解決しようとする課題】
【０００５】
しかしながら、上述した従来の親子電話システムにおける伝言処理によると、伝言の媒体が音声であるため、例えば聞き逃しがあったり、或いは雑音が入っていたりする場合等、迅速且つ確実に伝言の伝達ができず、操作者間の意思疎通が確実にできない場合があるという問題点があった。
【０００６】
そこで、本願は上記の問題点に鑑みて為されたもので、その課題は、より確実に端末装置の操作者間での意思疎通を行うことが可能な情報伝送システム及び当該端末装置並びに当該情報伝送システムにおいて実行される情報伝送方法及び当該端末装置用プログラムを提供することにある。
【課題を解決するための手段】
【０００７】
上記の課題を解決するために、請求項１に記載の発明は、電話機能を夫々に備えた複数の端末装置からなる情報伝送システムであって、送信側となる一の前記端末装置である送信側端末装置は、受信側となる他の前記端末装置である受信側端末装置において表示される表示情報を入力するために用いられる操作部等の入力手段と、前記入力された表示情報を前記受信側端末装置に送信する無線部等の送信手段と、を備え、前記受信側端末装置は、前記送信された表示情報を受信する無線部等の受信手段と、前記受信した表示情報を表示手段に表示させる主制御部等の表示制御手段と、前記表示情報が表示される表示部等の前記表示手段と、を備える。
【０００８】
上記の課題を解決するために、請求項１３に記載の発明は、請求項１から１２のいずれか一項に記載の情報伝送システムに含まれる前記送信側端末装置たる前記端末装置であって、前記入力手段と、前記送信手段と、を備える。
【０００９】
上記の課題を解決するために、請求項１４に記載の発明は、請求項１から１２のいずれか一項に記載の情報伝送システムに含まれる前記受信側端末装置たる前記端末装置であって、前記受信手段と、前記表示制御手段と、前記表示手段と、を備える。
【００１０】
上記の課題を解決するために、請求項１５に記載の発明は、請求項１から１２のいずれか一項に記載の情報伝送システムに含まれる前記送信側端末装置たる前記端末装置であって前記入力手段を備える前記端末装置に含まれるコンピュータを、前記送信手段として機能させる。
【００１１】
上記の課題を解決するために、請求項１６に記載の発明は、請求項１から１２のいずれか一項に記載の情報伝送システムに含まれる前記受信側端末装置たる前記端末装置であって前記表示手段を備える端末装置に含まれるコンピュータを、前記受信手段、及び、前記表示制御手段、として機能させる。
【００１２】
上記の課題を解決するために、請求項１７に記載の発明は、電話機能を夫々に備えた複数の端末装置からなる情報伝送システムにおいて実行される情報処理方法において、送信側となる一の前記端末装置である送信側端末装置において、受信側となる他の前記端末装置である受信側端末装置において表示される表示情報を入力する入力工程と、前記送信側端末装置において、前記入力された表示情報を前記受信側端末装置に送信する送信工程と、前記受信側端末装置において、前記送信された表示情報を受信する受信工程と、前記受信した表示情報を表示手段に表示させる表示制御工程と、を含む。
【発明を実施するための最良の形態】
【００１３】
次に、本願を実施するための最良の形態について、図面に基づいて説明する。なお、以下に説明する実施形態は、外部の電話回線に接続された親機と、当該親機に対して無線接続され且つ当該親機を介して上記電話回線に接続される二台の子機と、を備える親子電話システムにおける、親機と子機との間又は子機間における伝言メッセージの授受処理対して本願を適用した場合の実施の形態である。
（Ｉ）全体構成及び動作
始めに、実施形態に係る親子電話システムの全体構成及び動作について、図１を用いて説明する。なお、図１は実施形態に係る親子電話システムの概要構成を示すブロック図である。
【００１４】
図１に示すように、実施形態に係る親子電話システムＳは、外部の電話回線Ｌに接続された親機Ｍと、当該親機Ｍと無線による接続される子機Ｃ１及びＣ２と、により構成されている。この構成において、各子機Ｃは、無線接続される親機Ｍを介して外部の電話回線Ｌに接続可能とされている。また、各子機Ｃは、親機Ｍを中継してデータの授受が可能とされている。
【００１５】
次に、親機Ｍの細部構成及び動作について、図１を用いて説明する。
【００１６】
図１に示すように、親機Ｍは、液晶ディスプレイ等からなる表示手段としての表示部１０と、ボタン部又はダイヤル部等からなる入力手段としての操作部１１と、上記電話回線Ｌに接続された中継手段及び再送手段としての主制御部１２と、揮発性メモリ及び不揮発性メモリからなる中継装置記憶手段及び端末装置記憶手段としてのメモリ部１５と、アンテナ１３に接続された送信手段、受信手段及び再送手段としての無線部１４と、により構成されている。
【００１７】
この構成において、無線部１４は、アンテナ１３を介しての各子機Ｃとの無線接続を制御する。
【００１８】
また、表示部１０は、主制御部１２の制御の下、宛先となる電話番号や着信した場合の電話番号等の表示を行うと共に、後述する伝言メッセージを構成する文字等の表示を行う。
【００１９】
主制御部１２は、必要な情報をメモリ部１５との間で授受しつつ、操作部１１においてダイアルされた電話番号への発呼動作や、電話回線Ｌからの着呼動作等、親機Ｍとしての電話機能を統括制御する。これに加えて、主制御部１２は、後述する実施形態に係る伝言メッセージの授受処理を実行する。
【００２０】
次に、各子機Ｃの細部構成及び動作について、図１を用いて説明する。なお、各子機Ｃ１及びＣ２は相互に同一の構成を備えているので、以下の説明では、これらを纏めて説明する。
【００２１】
図１に示すように、各子機Ｃは、夫々に、液晶ディスプレイ等からなる表示手段としての表示部２０と、ボタン部又はダイヤル部等からなる入力手段としての操作部２１と、親機Ｍを介して上記電話回線Ｌに接続される主制御部２２と、揮発性メモリ及び不揮発性メモリからなる端末装置記憶手段としてのメモリ部２５と、アンテナ２３に接続された無線部２４と、により構成されている。
【００２２】
この構成において、無線部２４は、アンテナ２３を介しての親機Ｍ及び他の子機Ｃとの無線接続を制御する。
【００２３】
また、表示部２０は、主制御部２２の制御の下、宛先となる電話番号や着信した場合の電話番号等の表示を行うと共に、後述する伝言メッセージを構成する文字等の表示を行う。
【００２４】
主制御部２２は、必要な情報をメモリ部２５との間で授受しつつ、操作部２１においてダイアルされた電話番号への親機Ｍを介した発呼動作や、電話回線Ｌからの親機Ｍを介した着呼動作等、各子機Ｃとしての電話機能を統括制御する。これに加えて、主制御部２２は、後述する実施形態に係る各子機Ｃとしての伝言メッセージの授受処理を、各子機Ｃ夫々独立して実行する。
【００２５】
次に、上述した構成を備える親子電話システムＳにおいて実行される、本願に係る伝言メッセージの授受処理について、場合を分けて具体的に説明する。なお、以下の実施形態に係る「伝言メッセージ」とは、親機Ｍといずれかの子機Ｃとの間、又は各子機Ｃ間で授受される、文字、記号又は画像のいずれかを少なくとも含むメッセージであって、宛先となった親機Ｍの表示部１０又は同様に宛先となった子機Ｃの表示部２０のいずれかにおいて表示されるメッセージである。より具体的には、例えば、親機Ｍの操作者である母親が、その外出時において、その時点で外出中である子機Ｃ１の操作者である子供に対して残しておく、「おやつは冷蔵庫の中にあるよ。」等のメッセージが、実施形態に係る伝言メッセージに該当する。
（II）第１実施形態
先ず、本願に係る第１実施形態について、図１及び図２（ａ）を用いて説明する。なお、以下に説明する第１実施形態は、親機Ｍと各子機Ｃとの間でいわゆるリンクを確立することなく、当該親機Ｍにおいて作成した伝言メッセージを、全ての子機Ｃ１及びＣ２の表示部２０上において表示する場合の実施形態である。また、図２（ａ）は、親機Ｍ及び各子機Ｃにおいて実行される、第１実施形態に係る処理を纏めて示すシーケンス図である。
【００２６】
図２（ａ）に示すように、第１実施形態に係る伝言メッセージの授受処理においては、当初、親機Ｍ及び各子機Ｃは夫々に待ち受け状態を維持している（ステップＳ１）。
【００２７】
そして、親機Ｍにおいて、各子機Ｃに送信すべき伝言メッセージの内容がその操作部１１又は表示部１０を用いて入力されると（ステップＳ２）、親機Ｍの主制御部１２は、当該伝言メッセージ内容に相当するメッセージデータを、各子機Ｃとの間でいわゆるリンクを構成することなく、夫々一方的に無線を介して送信する（ステップＳ３、Ｓ５）。
【００２８】
なおこの時、当該送信するメッセージデータを親機Ｍのメモリ部１５に不揮発性に記憶させておいても良い。この場合、主制御部１２が、当該記憶しているメッセージデータを予め設定された周期毎に繰り返して各子機Ｃに送信するように構成することもできる。
【００２９】
これにより、当該メッセージデータを夫々受信した各子機Ｃの主制御部２２は、当該受信したメッセージデータに相当する伝言メッセージ（すなわち、上記ステップＳ２の処理により親機Ｍにおいて入力された伝言メッセージ）を、夫々の表示部２０上に表示する（ステップＳ４、Ｓ６）。なおこの時、各主制御部２２は、当該受信したメッセージデータを、各子機Ｃ夫々のメモリ部２５に不揮発性に記憶させておいても良い。
【００３０】
次に、親機Ｍから送信したメッセージデータを各子機Ｃのメモリ部２５上から削除する旨の操作が、親機Ｍの操作部１１において実行されると（ステップＳ７）、親機Ｍの主制御部１２は、当該操作に対応する削除データを、各子機Ｃとの間でリンクを構成することなる当該各子機Ｃ宛に、一方的に無線を介して送信する（ステップＳ８、Ｓ１０）。
【００３１】
これにより、当該削除データを夫々受信した各子機Ｃの主制御部２２は、当該受信した削除データに対応する伝言メッセージに相当するメッセージデータ（各子機Ｃのメモリ部２５において現在記憶されているメッセージデータ）を、夫々のメモリ部２５上から削除して（ステップＳ９、Ｓ１１）、第１実施形態に係る伝言メッセージの授受処理を終了する。
（III）第２実施形態
次に、本願に係る他の実施形態である第２実施形態について、図１及び図２（ｂ）を用いて説明する。なお、以下に説明する第２実施形態は、子機Ｃ１において作成された伝言メッセージを、親機Ｍの表示部１０及び他の子機Ｃ２の表示部２０上に表示させる場合の実施形態である。また、図２（ｂ）は、親機Ｍ及び各子機Ｃにおいて実行される、第２実施形態に係る処理を纏めて示すシーケンス図である。
【００３２】
図２に示すように、第２実施形態に係る伝言メッセージの授受処理においては、当初、親機Ｍ及び各子機Ｃは夫々に待ち受け状態を維持している（ステップＳ１）。
【００３３】
そして、子機Ｃ１において、親機Ｍ及び子機Ｃ２に送信すべき伝言メッセージの内容がその操作部２１又は表示部２０を用いて入力される（ステップＳ２０）。
【００３４】
次に、第２実施形態に係る伝言メッセージの授受処理においては、伝言メッセージの送信元たる子機Ｃ１と、その送信先及び中継先たる親機Ｍとの間において、上記リンクを構成する処理を行う。
【００３５】
ここで、当該リンクとは、伝言メッセージの授受に先立ち、その送信元から当該送信を要求する旨の要求情報を当該伝言メッセージの送信先に送信し、当該要求に対する当該送信先からの応答情報を取得した上で、改めて伝言メッセージに相当するメッセージデータを送信することを言う。なお、上記応答情報は、いわゆるアクノレッジ情報であり、伝言メッセージの送信先たる親機Ｍ又は子機Ｃを各々識別するための識別情報が含まれている。また、以下に説明する各実施形態に係る各図面においては、リンクを構成して行われるデータ等の授受を実線で示し、リンクを構成しないで行われるデータの授受を破線で示すこととする。
【００３６】
すなわち、図２（ｂ）に示すように、子機Ｃ１の主制御部２２は、先ず親機Ｍに対して伝言メッセージ送信要求情報を送信する（ステップＳ２１）。これにより、親機Ｍの主制御部１２は、当該伝言メッセージ送信要求情報に対応する送信応答情報を子機Ｃ１に返信する（ステップＳ２２）。
【００３７】
以上のステップＳ２１及びＳ２２の処理により親機Ｍと子機Ｃ１との間でリンクが構成されたので、その後、子機Ｃ１の主制御部２２は、上記ステップＳ２０の処理において作成された伝言メッセージの内容に相当するメッセージデータを親機Ｍに無線を介して送信する（ステップＳ２３）。
【００３８】
これにより、当該メッセージデータを受信した親機Ｍの主制御部１２は、当該受信したメッセージデータに相当する伝言メッセージ（すなわち、上記ステップＳ２０の処理により親機Ｍにおいて入力された伝言メッセージ）を、表示部１０上に表示する（ステップＳ２４）。なおこの時、当該受信したメッセージデータを、親機Ｍのメモリ部１５に不揮発性に記憶させておいても良い。
【００３９】
次に、親機Ｍの主制御部１２は、当該メッセージデータを受信した旨の受信完了情報を子機Ｃ１に返信する（ステップＳ２５）。
【００４０】
その後、子機Ｃ１の主制御部２２は、送信すべきメッセージデータの送信を完了する旨の完了情報を親機Ｍに送信し（ステップＳ２６）、これに対する応答情報が親機Ｍの主制御部１２によって子機Ｃ１に送信され（ステップＳ２７）、これにより子機Ｃ１と親機Ｍとの間のリンクは切断される。
【００４１】
次に、親機Ｍの主制御部１２は、メモリ部１５に記憶させていたメッセージデータを、子機Ｃ２との間でリンクを構成することなく、一方的に無線を介して送信する（ステップＳ２８）。なおこの時、主制御部１２が、メモリ部１５に記憶されているメッセージデータを予め設定された周期毎に繰り返して子機Ｃ２に送信するように構成することもできる。
【００４２】
これにより、当該メッセージデータを受信した子機Ｃ２の主制御部２２は、当該受信したメッセージデータに相当する伝言メッセージを、表示部２０上に表示する（ステップＳ２９）。なおこの時、当該受信したメッセージデータを、子機Ｃ２のメモリ部２５に不揮発性に記憶させておいても良い。
【００４３】
次に、子機Ｃ１から送信したメッセージデータを親機Ｍのメモリ部１５及び子機Ｃ２のメモリ部２５上から夫々削除する旨の操作が当該子機Ｃ１の操作部１１において実行されると（ステップＳ３０）、子機Ｃ１の主制御部２２は、当該操作に対応する削除データを親機Ｍにリンクを構成して送信する（ステップＳ３１乃至Ｓ３７）。
【００４４】
より具体的には、図２（ｂ）に示すように、子機Ｃ１の主制御部２２は、親機Ｍに対して削除データ送信要求情報を送信する（ステップＳ３１）。これにより、親機Ｍの主制御部１２は、当該削除データ送信要求情報に対応する送信応答情報を子機Ｃ１に返信する（ステップＳ３２）。
【００４５】
以上のステップＳ３１及びＳ３２の処理により親機Ｍと子機Ｃ１との間でリンクが構成されたので、その後、子機Ｃ１の主制御部２２は、上記ステップＳ２０の処理における削除操作に対応する削除データを親機Ｍに無線を介して送信する（ステップＳ３３）。
【００４６】
これにより、当該削除データを受信した親機Ｍの主制御部１２は、当該受信した削除データに対応する伝言メッセージに相当するメッセージデータ（親機Ｍのメモリ部１５において現在記憶されているメッセージデータ）を当該メモリ部１５上から削除する（ステップＳ３４）。
【００４７】
次に、親機Ｍの主制御部１２は、当該削除データを受信した旨の受信完了情報を子機Ｃ１に返信する（ステップＳ３５）。
【００４８】
その後、子機Ｃ１の主制御部２２は、送信すべき削除データの送信を完了する旨の完了情報を親機Ｍに送信し（ステップＳ３６）、これに対する応答情報が親機Ｍの主制御部１２によって子機Ｃ１に送信され（ステップＳ３７）、これにより子機Ｃ１と親機Ｍとの間のリンクは切断される。
【００４９】
次に、親機Ｍの主制御部１２は、メモリ部１５に記憶させていた削除データを、子機Ｃ２との間でリンクを構成することなく、一方的に無線を介して送信する（ステップＳ３８）。なおこの時、主制御部１２が、メモリ部１５に記憶されている削除データを予め設定された周期毎に繰り返して子機Ｃ２に送信するように構成することもできる。
【００５０】
これにより、当該削除データを受信した子機Ｃ２の主制御部２２は、当該受信した削除データに対応する伝言メッセージに相当するメッセージデータ（子機Ｃ２のメモリ部２５において現在記憶されているメッセージデータ）を当該メモリ部２５上から削除して（ステップＳ３９）、第２実施形態に係る伝言メッセージの授受処理を終了する。
（IV）第３実施形態
次に、本願に係る更に他の実施形態である第３実施形態について、図１及び図３（ａ）を用いて説明する。なお、以下に説明する第３実施形態は、親機Ｍと各子機Ｃとの間でいわゆるリンクを確立することなく、当該親機Ｍにおいて作成した伝言メッセージを子機Ｃ１の表示部２０上のみにおいて表示する場合の実施形態である。また、図３（ａ）は、親機Ｍ及び子機Ｃ１において実行される、第３実施形態に係る処理を纏めて示すシーケンス図である。
【００５１】
図３（ａ）に示すように、第３実施形態に係る伝言メッセージの授受処理においては、当初、親機Ｍ及び子機Ｃ１は待ち受け状態を維持している（ステップＳ１）。
【００５２】
そして、親機Ｍにおいて、子機Ｃ１のみに送信すべき伝言メッセージの内容がその操作部１１又は表示部１０を用いて入力されると（ステップＳ４０）、親機Ｍの主制御部１２は、当該伝言メッセージ内容に相当するメッセージデータを、子機Ｃ１との間でリンクを構成することなく、一方的に無線を介して送信する（ステップＳ４１）。
【００５３】
なおこの時、当該送信するメッセージデータを親機Ｍのメモリ部１５に不揮発性に記憶させておいても良い。この場合、主制御部１２が、当該記憶しているメッセージデータを予め設定された周期毎に繰り返して各子機Ｃに送信するように構成することもできる。
【００５４】
これにより、当該メッセージデータを夫々受信した子機Ｃ１の主制御部２２は、当該受信したメッセージデータに相当する伝言メッセージ（すなわち、上記ステップＳ４０の処理により親機Ｍにおいて入力された伝言メッセージ）を表示部２０上に表示する（ステップＳ４２）。なおこの時、子機Ｃ１の主制御部２２は、当該受信したメッセージデータを、子機Ｃ１のメモリ部２５に不揮発性に記憶させておいても良い。
【００５５】
次に、親機Ｍから子機Ｃ１に対して送信したメッセージデータを子機Ｃ１のメモリ部２５上から削除する旨の操作が、親機Ｍの操作部１１において実行されると（ステップＳ４３）、親機Ｍの主制御部１２は、当該操作に対応する削除データを、子機Ｃ１との間でリンクを構成することなる当該子機Ｃ１宛に、一方的に無線を介して送信する（ステップＳ４４）。
【００５６】
これにより、当該削除データを受信した子機Ｃ１の主制御部２２は、当該受信した削除データに対応する伝言メッセージに相当するメッセージデータ（子機Ｃ１のメモリ部２５において現在記憶されているメッセージデータ）を当該メモリ部２５上から削除して（ステップＳ４５）、第３実施形態に係る伝言メッセージの授受処理を終了する。
（Ｖ）第４実施形態
次に、本願に係る更に他の実施形態である第４実施形態について、図１及び図３（ｂ）を用いて説明する。なお、以下に説明する第４実施形態は、親機Ｍと各子機Ｃとの間でいわゆるリンクを確立することなく、子機Ｃ１において作成した伝言メッセージを親機Ｍの表示部１０上において表示する場合の実施形態である。また、図３（ｂ）は、親機Ｍ及び子機Ｃ１において実行される、第４実施形態に係る処理を纏めて示すシーケンス図である。
【００５７】
図３（ｂ）に示すように、第４実施形態に係る伝言メッセージの授受処理においては、当初、親機Ｍ及び子機Ｃ１は待ち受け状態を維持している（ステップＳ１）。
【００５８】
そして、子機Ｃ１において、親機Ｍに送信すべき伝言メッセージの内容がその操作部２１又は表示部２０を用いて入力されると（ステップＳ５０）、子機Ｃ１の主制御部２２は、当該伝言メッセージ内容に相当するメッセージデータを、親機Ｍとの間でリンクを構成することなく、一方的に無線を介して送信する（ステップＳ５１）。
【００５９】
なおこの時、当該送信するメッセージデータを子機Ｃ１のメモリ部２５に不揮発性に記憶させておいても良い。この場合、主制御部２２が、当該記憶しているメッセージデータを予め設定された周期毎に繰り返して親機Ｍに送信するように構成することもできる。
【００６０】
これにより、当該メッセージデータを夫々受信した親機Ｍの主制御部１２は、当該受信したメッセージデータに相当する伝言メッセージ（すなわち、上記ステップＳ５０の処理により子機Ｃ１において入力された伝言メッセージ）を表示部１０上に表示する（ステップＳ５２）。なおこの時、親機Ｍの主制御部１２は、当該受信したメッセージデータを、親機Ｍのメモリ部１５に不揮発性に記憶させておいても良い。
【００６１】
次に、子機Ｃ１から親機Ｍに対して送信したメッセージデータを親機Ｍのメモリ部１５上から削除する旨の操作が、子機Ｃ１の操作部２１において実行されると（ステップＳ５３）、子機Ｃ１の主制御部２２は、当該操作に対応する削除データを、親機Ｍとの間でリンクを構成することなる当該親機Ｍ宛に、一方的に無線を介して送信する（ステップＳ５４）。
【００６２】
これにより、当該削除データを受信した親機Ｍの主制御部１２は、当該受信した削除データに対応する伝言メッセージに相当するメッセージデータ（親機Ｍのメモリ部１５において現在記憶されているメッセージデータ）を当該メモリ部１５上から削除して（ステップＳ５５）、第４実施形態に係る伝言メッセージの授受処理を終了する。
（VI）第５実施形態
次に、本願に係る他の実施形態である第５実施形態について、図１及び図４を用いて説明する。なお、以下に説明する第５実施形態は、子機Ｃ１において作成された伝言メッセージを、親機Ｍを介して子機Ｃ２に伝送し、当該子機Ｃ２の表示部２０上に表示させる場合の実施形態である。また、図４は、親機Ｍ及び各子機Ｃにおいて実行される、第５実施形態に係る処理を纏めて示すシーケンス図である。
【００６３】
図４に示すように、第５実施形態に係る伝言メッセージの授受処理においては、当初、親機Ｍ及び各子機Ｃは夫々に待ち受け状態を維持している（ステップＳ１）。
【００６４】
そして、子機Ｃ１において、子機Ｃ２に送信すべき伝言メッセージの内容がその操作部２１又は表示部２０を用いて入力される（ステップＳ６０）。
【００６５】
次に、第５実施形態に係る伝言メッセージの授受処理においては、伝言メッセージの送信元たる子機Ｃ１と、その中継先たる親機Ｍとの間において、上記リンクを構成する処理を行う。
【００６６】
すなわち、図４に示すように、子機Ｃ１の主制御部２２は、先ず親機Ｍに対して伝言メッセージ送信要求情報を送信し（ステップＳ６１）、親機Ｍからのその返信として、親機Ｍの主制御部１２は、当該伝言メッセージ送信要求情報に対応する送信応答情報を子機Ｃ１に返信する（ステップＳ６２）。
【００６７】
以上のステップＳ６１及びＳ６２の処理により親機Ｍと子機Ｃ１との間でリンクが構成されたので、その後、子機Ｃ１の主制御部２２は、上記ステップＳ６０の処理において作成された伝言メッセージの内容に相当するメッセージデータを親機Ｍに無線を介して送信する（ステップＳ６３）。
【００６８】
これにより、当該メッセージデータを受信した親機Ｍの主制御部１２は、当該受信したメッセージデータをメモリ部１５に記憶させる。
【００６９】
次に、親機Ｍの主制御部１２は、当該メッセージデータを受信した旨の受信完了情報を子機Ｃ１に返信する（ステップＳ６４）。
【００７０】
その後、子機Ｃ１の主制御部２２は、送信すべきメッセージデータの送信を完了する旨の完了情報を親機Ｍに送信し（ステップＳ６５）、これに対する応答情報が親機Ｍの主制御部１２によって子機Ｃ１に送信され（ステップＳ６６）、これにより子機Ｃ１と親機Ｍとの間のリンクは切断される。
【００７１】
次に、親機Ｍの主制御部１２は、メモリ部１５に記憶させていたメッセージデータを、子機Ｃ２との間でリンクを構成することなく、一方的に無線を介して送信する（ステップＳ６７）。なおこの時、主制御部１２が、メモリ部１５に記憶されているメッセージデータを予め設定された周期毎に繰り返して子機Ｃ２に送信するように構成することもできる。
【００７２】
これにより、当該メッセージデータを受信した子機Ｃ２の主制御部２２は、当該受信したメッセージデータに相当する伝言メッセージを、表示部２０上に表示する（ステップＳ６８）。なおこの時、当該受信したメッセージデータを、子機Ｃ２のメモリ部２５に不揮発性に記憶させておいても良い。
【００７３】
次に、子機Ｃ１から送信したメッセージデータを子機Ｃ２のメモリ部２５上から削除する旨の操作が当該子機Ｃ１の操作部２１において実行されると（ステップＳ６９）、子機Ｃ１の主制御部２２は、当該操作に対応する削除データを親機Ｍにリンクを構成して送信する（ステップＳ７０乃至Ｓ７５）。
【００７４】
より具体的には、図４に示すように、子機Ｃ１の主制御部２２は、親機Ｍに対して削除データ送信要求情報を送信する（ステップＳ７０）。これにより、親機Ｍの主制御部１２は、当該削除データ送信要求情報に対応する送信応答情報を子機Ｃ１に返信する（ステップＳ７１）。
【００７５】
以上のステップＳ７０及びＳ７１の処理により親機Ｍと子機Ｃ１との間でリンクが構成されたので、その後、子機Ｃ１の主制御部２２は、上記ステップＳ２０の処理における削除操作に対応する削除データを親機Ｍに無線を介して送信する（ステップＳ７２）。
【００７６】
これにより、当該削除データを受信した親機Ｍの主制御部１２は、当該受信した削除データをメモリ部１５に記憶させる。
【００７７】
次に、親機Ｍの主制御部１２は、当該削除データを受信した旨の受信完了情報を子機Ｃ１に返信する（ステップＳ７３）。
【００７８】
その後、子機Ｃ１の主制御部２２は、送信すべき削除データの送信を完了する旨の完了情報を親機Ｍに送信し（ステップＳ７４）、これに対する応答情報が親機Ｍの主制御部１２によって子機Ｃ１に送信され（ステップＳ７５）、これにより子機Ｃ１と親機Ｍとの間のリンクは切断される。
【００７９】
次に、親機Ｍの主制御部１２は、メモリ部１５に記憶させていた削除データを、子機Ｃ２との間でリンクを構成することなく、一方的に無線を介して送信する（ステップＳ７６）。なおこの時、主制御部１２が、メモリ部１５に記憶されている削除データを予め設定された周期毎に繰り返して子機Ｃ２に送信するように構成することもできる。
【００８０】
これにより、当該削除データを受信した子機Ｃ２の主制御部２２は、当該受信した削除データに対応する伝言メッセージに相当するメッセージデータ（子機Ｃ２のメモリ部２５において現在記憶されているメッセージデータ）を当該メモリ部２５上から削除して（ステップＳ７７）、第５実施形態に係る伝言メッセージの授受処理を終了する。
（VII）第６実施形態
次に、本願に係る他の実施形態である第６実施形態について、図１及び図５を用いて説明する。なお、以下に説明する第６実施形態は、親機Ｍにおいて作成された伝言メッセージを、各子機Ｃにリンクを構成して伝送し、当該各子機Ｃ夫々の表示部２０上に表示させる場合の実施形態である。また、図５は、親機Ｍ及び各子機Ｃにおいて実行される、第６実施形態に係る処理を纏めて示すシーケンス図である。
【００８１】
図５に示すように、第６実施形態に係る伝言メッセージの授受処理においては、当初、親機Ｍ及び各子機Ｃは夫々に待ち受け状態を維持している（ステップＳ１）。
【００８２】
そして、親機Ｍにおいて、各子機Ｃに送信すべき伝言メッセージの内容がその操作部１１又は表示部１０を用いて入力される（ステップＳ８０）。
【００８３】
次に、第６実施形態に係る伝言メッセージの授受処理においては、伝言メッセージの送信元たる親機Ｍと、その送信先たる各子機Ｃとの間において、上記リンクを構成する処理を行う。
【００８４】
すなわち、図５に示すように、親機Ｍの主制御部１２は、先ず子機Ｃ１に対して伝言メッセージ送信要求情報を送信し（ステップＳ８１）、子機Ｃ１からのその返信として、子機Ｃ１の主制御部２２は、当該伝言メッセージ送信要求情報に対応する送信応答情報を親機Ｍに返信する（ステップＳ８２）。
【００８５】
以上のステップＳ８１及びＳ８２の処理により親機Ｍと子機Ｃ１との間でリンクが構成されたので、その後、親機Ｍの主制御部１２は、上記ステップＳ８０の処理において作成された伝言メッセージの内容に相当するメッセージデータを子機Ｃ１に無線を介して送信する（ステップＳ８３）。
【００８６】
これにより、当該メッセージデータを受信した子機Ｃ１の主制御部２２は、当該受信したメッセージデータに相当する伝言メッセージを、子機Ｃ１の表示部２０上に表示する（ステップＳ８４）。なおこの時、当該受信したメッセージデータを、子機Ｃ１のメモリ部２５に不揮発性に記憶させておいても良い。
【００８７】
次に、子機Ｃ１の主制御部２２は、当該メッセージデータを受信した旨の受信完了情報を親機Ｍに返信する（ステップＳ８５）。
【００８８】
その後、親機Ｍの主制御部１２は、送信すべきメッセージデータの送信を完了する旨の完了情報を子機Ｃ１に送信し（ステップＳ８６）、これに対する応答情報が子機Ｃ１の主制御部２２によって親機Ｍに送信され（ステップＳ８７）、これにより親機Ｍと子機Ｃ１との間のリンクは切断される。
【００８９】
次に、親機Ｍの主制御部１２は、子機Ｃ２に対して伝言メッセージ送信要求情報を送信し（ステップＳ８８）、子機Ｃ２からのその返信として、子機Ｃ２の主制御部２２は、当該伝言メッセージ送信要求情報に対応する送信応答情報を親機Ｍに返信する（ステップＳ８９）。
【００９０】
以上のステップＳ８８及びＳ８９の処理により親機Ｍと子機Ｃ２との間でリンクが構成されたので、その後、親機Ｍの主制御部１２は、上記ステップＳ８０の処理において作成された伝言メッセージの内容に相当するメッセージデータを子機Ｃ２に無線を介して送信する（ステップＳ９０）。
【００９１】
これにより、当該メッセージデータを受信した子機Ｃ２の主制御部２２は、当該受信したメッセージデータに相当する伝言メッセージを、子機Ｃ２の表示部２０上に表示する（ステップＳ９１）。なおこの時、当該受信したメッセージデータを、子機Ｃ２のメモリ部２５に不揮発性に記憶させておいても良い。
【００９２】
次に、子機Ｃ２の主制御部２２は、当該メッセージデータを受信した旨の受信完了情報を親機Ｍに返信する（ステップＳ９２）。
【００９３】
その後、親機Ｍの主制御部１２は、送信すべきメッセージデータの送信を完了する旨の完了情報を子機Ｃ２に送信し（ステップＳ９３）、これに対する応答情報が子機Ｃ２の主制御部２２によって親機Ｍに送信され（ステップＳ９４）、これにより親機Ｍと子機Ｃ２との間のリンクは切断される。
【００９４】
次に、親機Ｍから送信したメッセージデータを各子機Ｃのメモリ部２５上から削除する旨の操作が当該親機Ｍの操作部１１において実行されると（ステップＳ９５）、親機Ｍの主制御部１２は、当該操作に対応する削除データを各子機Ｃにリンクを構成して送信する（ステップＳ９６乃至Ｓ１０９）。
【００９５】
より具体的には、図５に示すように、先ず親機Ｍの主制御部１２は、子機Ｃ１に対して削除データ送信要求情報を送信する（ステップＳ９６）。これにより、子機Ｃ１の主制御部２２は、当該削除データ送信要求情報に対応する送信応答情報を親機Ｍに返信する（ステップＳ９７）。
【００９６】
以上のステップＳ９６及びＳ９７の処理により親機Ｍと子機Ｃ１との間で再度リンクが構成されたので、その後、親機Ｍの主制御部１２は、上記ステップＳ９５の処理における削除操作に対応する削除データを子機Ｃ１に無線を介して送信する（ステップＳ９８）。
【００９７】
これにより、当該削除データを受信した子機Ｃ１の主制御部２２は、当該受信した削除データに対応する伝言メッセージに相当するメッセージデータ（子機Ｃ１のメモリ部２５において現在記憶されているメッセージデータ）を当該メモリ部２５上から削除する（ステップＳ９９）。
【００９８】
次に、子機Ｃ１の主制御部２２は、当該削除データを受信した旨の受信完了情報を親機Ｍに返信する（ステップＳ１００）。
【００９９】
その後、親機Ｍの主制御部１２は、送信すべき削除データの送信を完了する旨の完了情報を子機Ｃ１に送信し（ステップＳ１０１）、これに対する応答情報が子機Ｃ１の主制御部２２によって親機Ｍに送信され（ステップＳ１０２）、これにより親機Ｍと子機Ｃ１との間のリンクは切断される。
【０１００】
次に、親機Ｍの主制御部１２は、子機Ｃ２に対して削除データ送信要求情報を送信する（ステップＳ１０３）。これにより、子機Ｃ２の主制御部２２は、当該削除データ送信要求情報に対応する送信応答情報を親機Ｍに返信する（ステップＳ１０４）。
【０１０１】
以上のステップＳ１０３及びＳ１０４の処理により親機Ｍと子機Ｃ２との間で再度リンクが構成されたので、その後、親機Ｍの主制御部１２は、上記ステップＳ９５の処理における削除操作に対応する削除データを子機Ｃ２に無線を介して送信する（ステップＳ１０５）。
【０１０２】
これにより、当該削除データを受信した子機Ｃ２の主制御部２２は、当該受信した削除データに対応する伝言メッセージに相当するメッセージデータ（子機Ｃ２のメモリ部２５において現在記憶されているメッセージデータ）を当該メモリ部２５上から削除する（ステップＳ１０６）。
【０１０３】
次に、子機Ｃ２の主制御部２２は、当該削除データを受信した旨の受信完了情報を親機Ｍに返信する（ステップＳ１０７）。
【０１０４】
その後、親機Ｍの主制御部１２は、送信すべき削除データの送信を完了する旨の完了情報を子機Ｃ２に送信し（ステップＳ１０８）、これに対する応答情報が子機Ｃ２の主制御部２２によって親機Ｍに送信され（ステップＳ１０９）、これにより親機Ｍと子機Ｃ２との間のリンクが切断されて、第６実施形態に係る伝言メッセージの授受処理を終了する。
（VIII）第７実施形態
次に、本願に係る他の実施形態である第７実施形態について、図１及び図６を用いて明する。なお、以下に説明する第７実施形態は、子機Ｃ１において作成された伝言メッセージを、親機Ｍ及び他の子機Ｃ２にリンクを構成して伝送し、当該親機Ｍの表示部１０及び子機Ｃ２の表示部２０上に表示させる場合の実施形態である。また、図６は、親機Ｍ及び各子機Ｃにおいて実行される、第７実施形態に係る処理を纏めて示すシーケンス図である。
【０１０５】
図６に示すように、第７実施形態に係る伝言メッセージの授受処理においては、当初、親機Ｍ及び各子機Ｃは夫々に待ち受け状態を維持している（ステップＳ１）。
【０１０６】
そして、子機Ｃ１において親機Ｍ及び子機Ｃ２に送信すべき伝言メッセージの内容がその操作部２１又は表示部２０を用いて入力される（ステップＳ１１０）。
【０１０７】
次に、第７実施形態に係る伝言メッセージの授受処理においては、伝言メッセージの送信元たる子機Ｃ１と、その送信先たる親機Ｍ及び子機Ｃ２との間において、上記リンクを構成する処理を行う。
【０１０８】
すなわち、図６に示すように、子機Ｃ１の主制御部２２は、先ず親機Ｍに対して伝言メッセージ送信要求情報を送信し（ステップＳ１１１）、親機Ｍからのその返信として、親機Ｍの主制御部１２は、当該伝言メッセージ送信要求情報に対応する送信応答情報を子機Ｃ１に返信する（ステップＳ１１２）。
【０１０９】
以上のステップＳ１１１及びＳ１１２の処理により子機Ｃ１と親機Ｍとの間のリンクが構成されたので、その後、子機Ｃ１の主制御部２２は、上記ステップＳ１１０の処理において作成された伝言メッセージの内容に相当するメッセージデータを親機Ｍに無線を介して送信する（ステップＳ１１３）。
【０１１０】
これにより、当該メッセージデータを受信した親機Ｍの主制御部１２は、当該受信したメッセージデータに相当する伝言メッセージを、親機Ｍの表示部１０上に表示する（ステップＳ１１４）と共に、当該受信したメッセージデータを、親機Ｍのメモリ部１５に記憶させる。
【０１１１】
次に、親機Ｍの主制御部１２は、当該メッセージデータを受信した旨の受信完了情報を子機Ｃ１に返信する（ステップＳ１１５）。
【０１１２】
その後、子機Ｃ１の主制御部２２は、送信すべきメッセージデータの送信を完了する旨の完了情報を親機Ｍに送信し（ステップＳ１１６）、これに対する応答情報が親機Ｍの主制御部１２によって子機Ｃ１に送信され（ステップＳ１１７）、これにより子機Ｃ１と親機Ｍととの間のリンクは切断される。
【０１１３】
次に、親機Ｍの主制御部１２は、子機Ｃ２に対して伝言メッセージ送信要求情報を送信し（ステップＳ１１８）、子機Ｃ２からのその返信として、子機Ｃ２の主制御部２２は、当該伝言メッセージ送信要求情報に対応する送信応答情報を親機Ｍに返信する（ステップＳ１１９）。
【０１１４】
以上のステップＳ１１８及びＳ１１９の処理により今度は親機Ｍと子機Ｃ２との間でリンクが構成されたので、その後、親機Ｍの主制御部１２は、上記ステップＳ１１４の処理においてメモリ部１５に記憶させておいたメッセージデータ（すなわち、上記ステップＳ１１０の処理において子機Ｃ１において作成された伝言メッセージに相当するメッセージデータ）を子機Ｃ２に無線を介して送信する（ステップＳ１２０）。
【０１１５】
これにより、当該メッセージデータを受信した子機Ｃ２の主制御部２２は、当該受信したメッセージデータに相当する伝言メッセージを、子機Ｃ２の表示部２０上に表示する（ステップＳ１２１）。なおこの時、当該受信したメッセージデータを、子機Ｃ２のメモリ部２５に不揮発性に記憶させておいても良い。
【０１１６】
次に、子機Ｃ２の主制御部２２は、当該メッセージデータを受信した旨の受信完了情報を親機Ｍに返信する（ステップＳ１２２）。
【０１１７】
その後、親機Ｍの主制御部１２は、送信すべきメッセージデータの送信を完了する旨の完了情報を子機Ｃ２に送信し（ステップＳ１２３）、これに対する応答情報が子機Ｃ２の主制御部２２によって親機Ｍに送信され（ステップＳ１２４）、これにより親機Ｍと子機Ｃ２との間のリンクは切断される。
【０１１８】
次に、子機Ｃ１から送信したメッセージデータを親機Ｍのメモリ部１５及び子機Ｃ２のメモリ部２５上から夫々削除する旨の操作が当該子機Ｃ１の操作部２１において実行されると（ステップＳ１２５）、子機Ｃ１の主制御部２２は、当該操作に対応する削除データを親機Ｍ及び子機Ｃ２にリンクを構成して送信する（ステップＳ１２６乃至Ｓ１３９）。
【０１１９】
より具体的には、図６に示すように、先ず子機Ｃ１の主制御部２２は、親機Ｍに対して削除データ送信要求情報を送信する（ステップＳ１２６）。これにより、親機Ｍの主制御部１２は、当該削除データ送信要求情報に対応する送信応答情報を子機Ｃ１に返信する（ステップＳ１２７）。
【０１２０】
以上のステップＳ１２６及びＳ１２７の処理により子機Ｃ１と親機Ｍとの間で再度リンクが構成されたので、その後、子機Ｃ１の主制御部２２は、上記ステップＳ１２５の処理における削除操作に対応する削除データを親機Ｍに無線を介して送信する（ステップＳ１２８）。
【０１２１】
これにより、当該削除データを受信した親機Ｍの主制御部１２は、当該受信した削除データに対応する伝言メッセージに相当するメッセージデータ（親機Ｍのメモリ部１５において現在記憶されているメッセージデータ）を当該メモリ部１５上から削除する（ステップＳ１２９）と共に、当該受信した削除データをメモリ部１５に記憶させる。
【０１２２】
次に、親機Ｍの主制御部１２は、当該削除データを受信した旨の受信完了情報を子機Ｃ１に返信する（ステップＳ１３０）。
【０１２３】
その後、子機Ｃ１の主制御部２２は、送信すべき削除データの送信を完了する旨の完了情報を親機Ｍに送信し（ステップＳ１３１）、これに対する応答情報が親機Ｍの主制御部１２によって子機Ｃ１に送信され（ステップＳ１３２）、これにより子機Ｃ１と親機Ｍとの間のリンクは切断される。
【０１２４】
次に、親機Ｍの主制御部１２は、子機Ｃ２に対して削除データ送信要求情報を送信する（ステップＳ１３３）。これにより、子機Ｃ２の主制御部２２は、当該削除データ送信要求情報に対応する送信応答情報を親機Ｍに返信する（ステップＳ１３４）。
【０１２５】
以上のステップＳ１３３及びＳ１３４の処理により親機Ｍと子機Ｃ２との間で再度リンクが構成されたので、その後、親機Ｍの主制御部１２は、上記ステップＳ１２９の処理においてメモリ部１５に記憶させておいた削除データを子機Ｃ２に無線を介して送信する（ステップＳ１３５）。
【０１２６】
これにより、当該削除データを受信した子機Ｃ２の主制御部２２は、当該受信した削除データに対応する伝言メッセージに相当するメッセージデータ（子機Ｃ２のメモリ部２５において現在記憶されているメッセージデータ）を当該メモリ部２５上から削除する（ステップＳ１３６）。
【０１２７】
次に、子機Ｃ２の主制御部２２は、当該削除データを受信した旨の受信完了情報を親機Ｍに返信する（ステップＳ１３７）。
【０１２８】
その後、親機Ｍの主制御部１２は、送信すべき削除データの送信を完了する旨の完了情報を子機Ｃ２に送信し（ステップＳ１３８）、これに対する応答情報が子機Ｃ２の主制御部２２によって親機Ｍに送信され（ステップＳ１３９）、これにより親機Ｍと子機Ｃ２との間のリンクが切断され、第７実施形態に係る伝言メッセージの授受処理を終了する。
（IX）第８実施形態
次に、本願に係る他の実施形態である第８実施形態について、図１及び図７（ａ）を用いて説明する。なお、以下に説明する第８実施形態は、親機Ｍにおいて作成された伝言メッセージを子機Ｃ１にのみリンクを構成して伝送し、当該子機Ｃ１の表示部２０上に表示させる場合の実施形態である。また、図７（ａ）は、親機Ｍ及び子機Ｃ１において実行される、第８実施形態に係る処理を纏めて示すシーケンス図である。
【０１２９】
図７（ａ）に示すように、第８実施形態に係る伝言メッセージの授受処理においては、当初、親機Ｍ及び各子機Ｃは夫々に待ち受け状態を維持している（ステップＳ１）。
【０１３０】
そして、親機Ｍにおいて、子機Ｃ１に送信すべき伝言メッセージの内容がその操作部１１又は表示部１０を用いて入力される（ステップＳ１４０）。
【０１３１】
次に、第８実施形態に係る伝言メッセージの授受処理においては、伝言メッセージの送信元たる親機Ｍと、その送信先たる子機Ｃ１との間のみにおいて、上記リンクを構成する処理を行う。
【０１３２】
すなわち、図７に示すように、親機Ｍの主制御部１２は、子機Ｃ１に対して伝言メッセージ送信要求情報を送信し（ステップＳ１４１）、子機Ｃ１からのその返信として、子機Ｃ１の主制御部２２は、当該伝言メッセージ送信要求情報に対応する送信応答情報を親機Ｍに返信する（ステップＳ１４２）。
【０１３３】
以上のステップＳ１４１及びＳ１４２の処理により親機Ｍと子機Ｃ１との間でリンクが構成されたので、その後、親機Ｍの主制御部１２は、上記ステップＳ１４０の処理において作成された伝言メッセージの内容に相当するメッセージデータを子機Ｃ１に無線を介して送信する（ステップＳ１４３）。
【０１３４】
これにより、当該メッセージデータを受信した子機Ｃ１の主制御部２２は、当該受信したメッセージデータに相当する伝言メッセージを、子機Ｃ１の表示部２０上に表示する（ステップＳ１４４）。なおこの時、当該受信したメッセージデータを、子機Ｃ１のメモリ部２５に不揮発性に記憶させておいても良い。
【０１３５】
次に、子機Ｃ１の主制御部２２は、当該メッセージデータを受信した旨の受信完了情報を親機Ｍに返信する（ステップＳ１４５）。
【０１３６】
その後、親機Ｍの主制御部１２は、送信すべきメッセージデータの送信を完了する旨の完了情報を子機Ｃ１に送信し（ステップＳ１４６）、これに対する応答情報が子機Ｃ１の主制御部２２によって親機Ｍに送信され（ステップＳ１４７）、これにより親機Ｍと子機Ｃ１との間のリンクは切断される。
【０１３７】
次に、親機Ｍから送信したメッセージデータを子機Ｃ１のメモリ部２５上から削除する旨の操作が当該親機Ｍの操作部１１において実行されると（ステップＳ１４８）、親機Ｍの主制御部１２は、当該操作に対応する削除データを子機Ｃ１のみにリンクを構成して送信する（ステップＳ１４９乃至Ｓ１５５）。
【０１３８】
より具体的には、図７（ａ）に示すように、親機Ｍの主制御部１２は、子機Ｃ１に対して削除データ送信要求情報を送信する（ステップＳ１４９）。これにより、子機Ｃ１の主制御部２２は、当該削除データ送信要求情報に対応する送信応答情報を親機Ｍに返信する（ステップＳ１５０）。
【０１３９】
以上のステップＳ１４９及びＳ１５０の処理により親機Ｍと子機Ｃ１との間で再度リンクが構成されたので、その後、親機Ｍの主制御部１２は、上記ステップＳ１４８の処理における削除操作に対応する削除データを子機Ｃ１に無線を介して送信する（ステップＳ１５１）。
【０１４０】
これにより、当該削除データを受信した子機Ｃ１の主制御部２２は、当該受信した削除データに対応する伝言メッセージに相当するメッセージデータ（子機Ｃ１のメモリ部２５において現在記憶されているメッセージデータ）を当該メモリ部２５上から削除する（ステップＳ１５２）。
【０１４１】
次に、子機Ｃ１の主制御部２２は、当該削除データを受信した旨の受信完了情報を親機Ｍに返信する（ステップＳ１５３）。
【０１４２】
その後、親機Ｍの主制御部１２は、送信すべき削除データの送信を完了する旨の完了情報を子機Ｃ１に送信し（ステップＳ１５４）、これに対する応答情報が子機Ｃ１の主制御部２２によって親機Ｍに送信され（ステップＳ１５５）、これにより親機Ｍと子機Ｃ１との間のリンクは切断されて、第７実施形態に係る伝言メッセージの授受処理を終了する。
（Ｘ）第９実施形態
次に、本願に係る他の実施形態である第９実施形態について、図１及び図７（ｂ）を用いて明する。なお、以下に説明する第９実施形態は、子機Ｃ１において作成された伝言メッセージを親機Ｍにのみリンクを構成して伝送し、当該親機Ｍの表示部１０上にのみ表示させる場合の実施形態である。また、図７（ｂ）は、親機Ｍ及び子機Ｃ１において実行される、第９実施形態に係る処理を纏めて示すシーケンス図である。
【０１４３】
図７（ｂ）に示すように、第９実施形態に係る伝言メッセージの授受処理においては、当初、親機Ｍ及び各子機Ｃは夫々に待ち受け状態を維持している（ステップＳ１）。
【０１４４】
そして、子機Ｃ１において親機Ｍに送信すべき伝言メッセージの内容がその操作部２１又は表示部２０を用いて入力される（ステップＳ１６０）。
【０１４５】
次に、第９実施形態に係る伝言メッセージの授受処理においては、伝言メッセージの送信元たる子機Ｃ１と、その送信先たる親機Ｍとの間において、上記リンクを構成する処理を行う。
【０１４６】
すなわち、図７（ｂ）に示すように、子機Ｃ１の主制御部２２は、親機Ｍに対して伝言メッセージ送信要求情報を送信し（ステップＳ１６１）、親機Ｍからのその返信として、親機Ｍの主制御部１２は、当該伝言メッセージ送信要求情報に対応する送信応答情報を子機Ｃ１に返信する（ステップＳ１６２）。
【０１４７】
以上のステップＳ１６１及びＳ１６２の処理により子機Ｃ１と親機Ｍとの間のリンクが構成されたので、その後、子機Ｃ１の主制御部２２は、上記ステップＳ１６０の処理において作成された伝言メッセージの内容に相当するメッセージデータを親機Ｍに無線を介して送信する（ステップＳ１６３）。
【０１４８】
これにより、当該メッセージデータを受信した親機Ｍの主制御部１２は、当該受信したメッセージデータに相当する伝言メッセージを、親機Ｍの表示部１０上に表示する（ステップＳ１６４）。
【０１４９】
次に、親機Ｍの主制御部１２は、当該メッセージデータを受信した旨の受信完了情報を子機Ｃ１に返信する（ステップＳ１６５）。
【０１５０】
その後、子機Ｃ１の主制御部２２は、送信すべきメッセージデータの送信を完了する旨の完了情報を親機Ｍに送信し（ステップＳ１６６）、これに対する応答情報が親機Ｍの主制御部１２によって子機Ｃ１に送信され（ステップＳ１６７）、これにより子機Ｃ１と親機Ｍととの間のリンクは切断される。
【０１５１】
次に、子機Ｃ１から送信したメッセージデータを親機Ｍのメモリ部１５上から削除する旨の操作が当該子機Ｃ１の操作部２１において実行されると（ステップＳ１６８）、子機Ｃ１の主制御部２２は、当該操作に対応する削除データを親機Ｍにリンクを構成して送信する（ステップＳ１６９乃至Ｓ１７５）。
【０１５２】
より具体的には、図７に示すように、子機Ｃ１の主制御部２２は、親機Ｍに対して削除データ送信要求情報を送信する（ステップＳ１６９）。これにより、親機Ｍの主制御部１２は、当該削除データ送信要求情報に対応する送信応答情報を子機Ｃ１に返信する（ステップＳ１７０）。
【０１５３】
以上のステップＳ１６９及びＳ１７０の処理により子機Ｃ１と親機Ｍとの間で再度リンクが構成されたので、その後、子機Ｃ１の主制御部２２は、上記ステップＳ１６８の処理における削除操作に対応する削除データを親機Ｍに無線を介して送信する（ステップＳ１７１）。
【０１５４】
これにより、当該削除データを受信した親機Ｍの主制御部１２は、当該受信した削除データに対応する伝言メッセージに相当するメッセージデータ（親機Ｍのメモリ部１５において現在記憶されているメッセージデータ）を当該メモリ部１５上から削除する（ステップＳ１７２）。
【０１５５】
次に、親機Ｍの主制御部１２は、当該削除データを受信した旨の受信完了情報を子機Ｃ１に返信する（ステップＳ１７３）。
【０１５６】
その後、子機Ｃ１の主制御部２２は、送信すべき削除データの送信を完了する旨の完了情報を親機Ｍに送信し（ステップＳ１７４）、これに対する応答情報が親機Ｍの主制御部１２によって子機Ｃ１に送信され（ステップＳ１７５）、これにより子機Ｃ１と親機Ｍとの間のリンクは切断され、第９実施形態に係る伝言メッセージの授受処理を終了する。
（XI）第１０実施形態
最後に、本願に係る他の実施形態である第１０実施形態について、図１及び図８を用いて明する。なお、以下に説明する第１０実施形態は、子機Ｃ１において作成された伝言メッセージを、親機Ｍを介して他の子機Ｃ２にリンクを構成して伝送し、当該子機Ｃ２の表示部２０上に表示させる場合の実施形態である。また、図８は、親機Ｍ及び各子機Ｃにおいて実行される、第１０実施形態に係る処理を纏めて示すシーケンス図である。
【０１５７】
図８に示すように、第１０実施形態に係る伝言メッセージの授受処理においては、当初、親機Ｍ及び各子機Ｃは夫々に待ち受け状態を維持している（ステップＳ１）。
【０１５８】
そして、子機Ｃ１において子機Ｃ２に送信すべき伝言メッセージの内容がその操作部２１又は表示部２０を用いて入力される（ステップＳ１８０）。
【０１５９】
次に、第１０実施形態に係る伝言メッセージの授受処理においては、伝言メッセージの送信元たる子機Ｃ１と、その中継先たる親機Ｍとの間において、並びに当該親機Ｍと子機Ｃ２との間において、夫々に上記リンクを構成する処理を行う。
【０１６０】
すなわち、図８に示すように、子機Ｃ１の主制御部２２は、先ず親機Ｍに対して伝言メッセージ送信要求情報を送信し（ステップＳ１８１）、親機Ｍからのその返信として、親機Ｍの主制御部１２は、当該伝言メッセージ送信要求情報に対応する送信応答情報を子機Ｃ１に返信する（ステップＳ１８２）。
【０１６１】
以上のステップＳ１８１及びＳ１８２の処理により子機Ｃ１と親機Ｍとの間のリンクが構成されたので、その後、子機Ｃ１の主制御部２２は、上記ステップＳ１８０の処理において作成された伝言メッセージの内容に相当するメッセージデータを親機Ｍに無線を介して送信する（ステップＳ１８３）。
【０１６２】
これにより、当該メッセージデータを受信した親機Ｍの主制御部１２は、当該受信したメッセージデータを、親機Ｍのメモリ部１５に記憶させる。
【０１６３】
次に、親機Ｍの主制御部１２は、当該メッセージデータを受信した旨の受信完了情報を子機Ｃ１に返信する（ステップＳ１８４）。
【０１６４】
その後、子機Ｃ１の主制御部２２は、送信すべきメッセージデータの送信を完了する旨の完了情報を親機Ｍに送信し（ステップＳ１８５）、これに対する応答情報が親機Ｍの主制御部１２によって子機Ｃ１に送信され（ステップＳ１８６）、これにより子機Ｃ１と親機Ｍととの間のリンクは切断される。
【０１６５】
次に、親機Ｍの主制御部１２は、子機Ｃ２に対して伝言メッセージ送信要求情報を送信し（ステップＳ１８７）、子機Ｃ２からのその返信として、子機Ｃ２の主制御部２２は、当該伝言メッセージ送信要求情報に対応する送信応答情報を親機Ｍに返信する（ステップＳ１８８）。
【０１６６】
以上のステップＳ１８７及びＳ１８８の処理により今度は親機Ｍと子機Ｃ２との間でリンクが構成されたので、その後、親機Ｍの主制御部１２は、上記ステップＳ１８３の処理においてメモリ部１５に記憶させておいたメッセージデータ（すなわち、上記ステップＳ１８０において子機Ｃ１において作成された伝言メッセージに相当するメッセージデータ）を子機Ｃ２に無線を介して送信する（ステップＳ１８９）。
【０１６７】
これにより、当該メッセージデータを受信した子機Ｃ２の主制御部２２は、当該受信したメッセージデータに相当する伝言メッセージを、子機Ｃ２の表示部２０上に表示する（ステップＳ１９０）。なおこの時、当該受信したメッセージデータを、子機Ｃ２のメモリ部２５に不揮発性に記憶させておいても良い。
【０１６８】
次に、子機Ｃ２の主制御部２２は、当該メッセージデータを受信した旨の受信完了情報を親機Ｍに返信する（ステップＳ１９１）。
【０１６９】
その後、親機Ｍの主制御部１２は、送信すべきメッセージデータの送信を完了する旨の完了情報を子機Ｃ２に送信し（ステップＳ１９２）、これに対する応答情報が子機Ｃ２の主制御部２２によって親機Ｍに送信され（ステップＳ１９３）、これにより親機Ｍと子機Ｃ２との間のリンクは切断される。
【０１７０】
次に、子機Ｃ１から送信したメッセージデータを子機Ｃ２のメモリ部２５上から削除する旨の操作が当該子機Ｃ１の操作部２１において実行されると（ステップＳ１９４）、子機Ｃ１の主制御部２２は、当該操作に対応する削除データを親機Ｍ及び子機Ｃ２にリンクを構成して送信する（ステップＳ１９５乃至Ｓ２０７）。
【０１７１】
より具体的には、図８に示すように、子機Ｃ１の主制御部２２は、親機Ｍに対して削除データ送信要求情報を送信する（ステップＳ１９５）。これにより、親機Ｍの主制御部１２は、当該削除データ送信要求情報に対応する送信応答情報を子機Ｃ１に返信する（ステップＳ１９６）。
【０１７２】
以上のステップＳ１９５及びＳ１９６の処理により子機Ｃ１と親機Ｍとの間で再度リンクが構成されたので、その後、子機Ｃ１の主制御部２２は、上記ステップＳ１９４の処理における削除操作に対応する削除データを親機Ｍに無線を介して送信する（ステップＳ１９７）。
【０１７３】
これにより、当該削除データを受信した親機Ｍの主制御部１２は、当該受信した削除データをメモリ部１５に記憶させる。
【０１７４】
次に、親機Ｍの主制御部１２は、当該削除データを受信した旨の受信完了情報を子機Ｃ１に返信する（ステップＳ１９８）。
【０１７５】
その後、子機Ｃ１の主制御部２２は、送信すべき削除データの送信を完了する旨の完了情報を親機Ｍに送信し（ステップＳ１９９）、これに対する応答情報が親機Ｍの主制御部１２によって子機Ｃ１に送信され（ステップＳ２００）、これにより子機Ｃ１と親機Ｍとの間のリンクは切断される。
【０１７６】
次に、親機Ｍの主制御部１２は、子機Ｃ２に対して削除データ送信要求情報を送信する（ステップＳ２０１）。これにより、子機Ｃ２の主制御部２２は、当該削除データ送信要求情報に対応する送信応答情報を親機Ｍに返信する（ステップＳ２０２）。
【０１７７】
以上のステップＳ２０１及びＳ２０２の処理により親機Ｍと子機Ｃ２との間で再度リンクが構成されたので、その後、親機Ｍの主制御部１２は、上記ステップＳ１９７の処理においてメモリ部１５に記憶させておいた削除データを子機Ｃ２に無線を介して送信する（ステップＳ２０３）。
【０１７８】
これにより、当該削除データを受信した子機Ｃ２の主制御部２２は、当該受信した削除データに対応する伝言メッセージに相当するメッセージデータ（子機Ｃ２のメモリ部２５において現在記憶されているメッセージデータ）を当該メモリ部２５上から削除する（ステップＳ２０４）。
【０１７９】
次に、子機Ｃ２の主制御部２２は、当該削除データを受信した旨の受信完了情報を親機Ｍに返信する（ステップＳ２０５）。
【０１８０】
その後、親機Ｍの主制御部１２は、送信すべき削除データの送信を完了する旨の完了情報を子機Ｃ２に送信し（ステップＳ２０６）、これに対する応答情報が子機Ｃ２の主制御部２２によって親機Ｍに送信され（ステップＳ２０７）、これにより親機Ｍと子機Ｃ２との間のリンクが切断され、第１０実施形態に係る伝言メッセージの授受処理を終了する。
【０１８１】
以上夫々説明したように、親子電話システムＳにおける各実施形態に係る動作によれば、受信側の親機Ｍ又は子機Ｃにおいて表示される伝言メッセージを送信側の親機Ｍ又は子機Ｃから送信し、当該受信側の親機Ｍ又は子機Ｃにおいて受信して表示するので、電話機能を備える親機Ｍ及び子機Ｃ間において、聞き逃しやすい音声ではなく視覚的に認識可能な伝言メッセージを用いて確実に親機Ｍ又は子機Ｃの操作者間での意思疎通を行うことができる。
【０１８２】
また、リンクを構成して伝言メッセージを送受信する場合は、所望される受信側の親機Ｍ又は子機Ｃに伝言メッセージを確実に伝送することができる。
【０１８３】
更に、リンクを構成しないで伝言メッセージを送信する場合は、一方的に伝言メッセージを送信するので、伝言メッセージの送受信の対象となる親機Ｍ及び子機Ｃ相互の構成を簡略化することができる。
【０１８４】
更にまた、複数の受信側の親機Ｍ又は子機Ｃに対して伝言メッセージを夫々送信するので、複数の受信側の親機Ｍ又は子機Ｃに対して一度に同一の伝言メッセージを伝送することができる。
【０１８５】
また、親機Ｍを中継装置として伝言メッセージの授受を行う場合には、例えば送信側の子機Ｃと受信側の子機Ｃとが相互に別々の離隔した場所にあった場合でも確実に伝言メッセージを伝送することができる。
【０１８６】
更に、中継装置としての親機Ｍにおいて伝言メッセージを記憶し、伝言メッセージが伝送されなかった場合等に当該親機Ｍから再送するので、より確実に伝言メッセージを受信側の子機Ｃまで伝送することができる。
【０１８７】
更にまた、受信側の親機Ｍ又は子機Ｃにおいて伝言メッセージを記憶する場合には、当該受信側の親機Ｍ又は子機Ｃにおける再度の表示処理等に供させることができる。
【０１８８】
また、伝言メッセージを受信側の親機Ｍ又は子機Ｃから削除するとき、対応する削除データを送信側の親機Ｍ又は子機Ｃから送信して削除するので、受信側の親機Ｍ又は子機Ｃにおいて不要となった伝言メッセージを遠隔的に当該受信側の親機Ｍ又は子機Ｃ上から削除することができる。
【０１８９】
なお、上述した各実施形態においては、電話機能を夫々に備える親機Ｍ及び子機Ｃを含む親子電話システムＳに対して本願を適用した場合について説明したが、これ以外に、当該電話機能に加えて、例えばドアホン機能を備えた親子電話システムＳ日本願を適用することも可能である。
【０１９０】
また、図２乃至図８に示すシーケンス図に夫々対応するプログラムを、フレキシブルディスク又はハードディスク等の情報記録媒体に記録しておき、又はインターネット等を介して取得して記録しておき、これらを汎用のコンピュータで読み出して実行することにより、当該コンピュータを各実施形態に係る親機Ｍ内の主制御部１２又は子機Ｃ内の主制御部２２として活用することも可能である。
【図面の簡単な説明】
【０１９１】
【図１】実施形態に係る親子電話システムの概要構成を示すブロック図である。
【図２】第１及び第２実施形態夫々に係る処理を示すシーケンス図であり、（ａ）は第１実施形態に係る処理を示すシーケンス図であり、（ｂ）は第２実施形態に係る処理を示すシーケンス図である。
【図３】第３及び第４実施形態夫々に係る処理を示すシーケンス図であり、（ａ）は第３実施形態に係る処理を示すシーケンス図であり、（ｂ）は第４実施形態に係る処理を示すシーケンス図である。
【図４】第５実施形態に係る処理を示すシーケンス図である。
【図５】第６実施形態に係る処理を示すシーケンス図である。
【図６】第７実施形態に係る処理を示すシーケンス図である。
【図７】第８及び第９実施形態夫々に係る処理を示すシーケンス図であり、（ａ）は第８実施形態に係る処理を示すシーケンス図であり、（ｂ）は第９実施形態に係る処理を示すシーケンス図である。
【図８】第１０実施形態に係る処理を示すシーケンス図である。
【符号の説明】
【０１９２】
Ｓ    親子電話システム
Ｍ    親機
Ｃ１、Ｃ２    子機
Ｌ    電話回線
１０、２０    表示部
１１、２１    操作部
１２，２２    主制御部
１３、２３    アンテナ
１４、２４    無線部
１５、２５    メモリ部
【図１】
2009017027.tif 000003
【図２】
2009017027.tif 000004
【図３】
2009017027.tif 000005
【図４】
2009017027.tif 000006
【図５】
2009017027.tif 000007
【図６】
2009017027.tif 000008
【図７】
2009017027.tif 000009
【図８】
2009017027.tif 000010